(57)【要約】【課題】  店舗の営業に必要な釣銭準備金を確実に供給できるようにして店員や店長の負担を軽減することができる現金管理装置および現金管理システムを提供する。【解決手段】  現金管理装置が、現金を投入する現金入金口と、釣銭のための現金を収納する釣銭収納庫と、売上金を収納する現金金庫とを備え、現金入金口にレジスタから回収した現金を投入したときに、現金金庫へは売上金を収納し、釣銭収納庫へは売上金を超えた現金を収納して釣銭を循環使用する。【選択図】        図１
2006155326.tif 000002
【特許請求の範囲】
【請求項１】
現金を投入する現金入金口と、
釣銭のための現金を収納する釣銭収納庫と、現金を収納する現金金庫とを備え、
前記現金入金口に現金を投入したときに、
前記現金金庫へは売上金を収納し、
前記釣銭収納庫へは、売上金額を超えた現金を収納すること
を特徴とする現金管理装置。
【請求項２】
請求項１において、
前記現金入金口に投入された現金を、一旦一時保留部に保留し、
その後、前記現金金庫へ売上金額を収納し、前記釣銭収納庫へは売上金額を超えた現金を収納すること
を特徴とする現金管理装置。
【請求項３】
請求項１または請求項２において、
集配担当者が現金に触れる事なく売上金を回収することが可能な現金カセットを前記現金金庫内に備えたこと
を特徴とする現金管理装置。
【請求項４】
請求項１または請求項２において、
前記釣銭収納庫は収納された現金を循環させ再度釣銭として使用できること
を特徴とする現金管理装置。
【請求項５】
請求項１または請求項２において、
投入された現金を、一旦一時保留部に保留し、
売上高を入力した段階で、一時保留部で再計数を行い、
売上金と釣銭準備金とを同時に分別すること
を特徴とする現金管理装置。
【請求項６】
釣銭の為の現金を収納する釣銭収納庫と売上金を収納する現金金庫及び売上高を記憶する記憶部とを備えた現金を管理する現金管理装置と
前記現金管理装置と通信回線で接続され、さらに前記管理装置の入出金を管理する中央情報処理装置を備えた現金管理システムにおいて
（１）前記中央情報装置が、前記現金管理装置から送信される売上高情報をもとに、売上金を売上金口座へ振り込み、
（２）現金金庫の現金を回収することによって売上金口座に振り込まれた金額を回収でき、
（３）残りの現金は釣銭として循環させること
を特徴とした現金管理システム。
【発明の詳細な説明】
【技術分野】
【０００１】
本発明は、百貨店やスーパーマーケット、コンビニエンスストア等の小売業の店舗に設置され、レジスタに収納された売上金等を管理する現金管理装置およびその現金管理システムに関する。
【背景技術】
【０００２】
従来の現金管理システムは、店舗の売上金がある程度蓄積すると店舗に設置された貨幣入出金装置にその売上金を入金して収納し、入金された現金の一部をキャッシュカード等の所有者である個人に出金すると共に、その入出金情報を定期的に通信網を介して接続している入出金情報処理装置へ送信し、入出金情報処理装置は個人に出金された現金を精算して店舗の売上金を本部に入金して貨幣入出金装置に入金された売上金の効率的な運用を図っている（例えば、特許文献１参照。）。
【特許文献１】特開２０００−１３７８６９号公報（第３−５頁［０００６］−［００２１］、第１図）
【発明の開示】
【発明が解決しようとする課題】
【０００３】
しかしながら、上述した従来の技術においては、レジスタの売上金のみを貨幣入出金装置へ入金して管理しているため、店舗の閉店後にレジスタの締めを行うときに売上金に相当する現金を店員が計数して抜き出し、売上金を入金すると共にレジスタに残った現金が開店前等にレジスタに準備された釣銭のための現金（釣銭準備金という。）の額と一致しているか否かを店員が計数する必要があり、店員の負担が増大するという問題がある。
【０００４】
また、売上金を抜き出した後の残金は、一般に金額は一致していても金種毎の枚数は釣銭準備金として準備した現金の金種毎の枚数とは一致しないために、その両替ための金融機関等での小銭への両替作業は店舗の管理者である店長の業務であり、これに加えて店長は釣銭の補充や店舗内の釣銭準備金の管理を行わなければならず、店長に多大な負担を強いることになるという問題がある。
【０００５】
本発明は、上記の問題点を解決するためになされたもので、店舗の営業に必要な釣銭準備金を確実に供給できるようにして店員や店長の負担を軽減することができる現金管理装置を提供することを目的とする。
【課題を解決するための手段】
【０００６】
本発明は、上記課題を解決するために、
現金を投入する現金入金口と、釣銭のための現金を収納する釣銭収納庫と、現金を収納する現金金庫とを備え、前記現金入金口に現金を投入したときに、前記現金金庫へは売上金を収納し、前記釣銭収納庫へは、売上金額を超えた現金を収納することを特徴とする現金管理装を提供する。
【０００７】
また、さらに釣銭の為の現金を収納する釣銭収納庫と売上金を収納する現金
金庫及び売上高を記憶する記憶部とを備えた現金を管理する現金管理装置と前記現金管理装置と通信回線で接続され、さらに前記管理装置の入出金を管理する中央情報処理装置を備えた現金管理システムにおいて前記中央情報装置が、前記現金管理装置から送信される売上高情報をもとに、売上金を売上金口座へ振り込み、前記現金金庫の現金を回収することによって売上金口座に振り込まれた金額を回収でき、残りの現金は釣銭として循環させることを特徴とした現金管理システムを提供する。
【発明の効果】
【０００８】
本発明はレジスタから回収された現金が現金入金口へ投入された時に現金金庫へは売上金を収納し、釣銭収納庫へは余剰金を収入することにより、釣銭を循環させて使用することができ、かつ集配担当者は売上金のみの回収が可能となる。
また、手作業によって行なっていた店員や店長の業務を削減することにより、作業負荷を著しく軽減することができるようになる。
【発明を実施するための最良の形態】
【０００９】
以下に、図面を参照して本発明による現金管理システムの実施の形態について説明する。
【実施例】
【００１０】
＜実施例の構成＞
図１は実施の形態の現金管理装置を示すブロック図、図２は実施の形態のシステム構成を示す説明図、図３は実施の形態における現金管理装置の外観を示す斜視図である。
【００１１】
図２において、１は現金管理装置であり、百貨店やスーパーマーケット、コンビニエンスストア等の小売業の店舗等に設置され、店舗の出納係やレジスタ２のオペレータ等の店員が操作して店舗の売場に設置されているレジスタ２へ釣銭準備金や補充する釣銭の出金およびレジスタ２から回収された現金の入金等を行って店舗の現金を管理する。
【００１２】
３は店舗に設置された管理端末であり、店舗内に設置された現金管理装置１に接続してこれらを統括する。
また、管理端末３は温度や煙、赤外線等により保安や火災等の状態を監視するための各種の監視センサ４と接続して店舗内の警備体制をも統括し、異常が検出された時に警報を発する。
【００１３】
更に、管理端末３は電話回線や専用回線等の通信回線５によりセンタに接続され、複数の店舗と契約して売上金や釣銭等を管理する統括管理会社のセンタに設置されている中央情報処理装置６および警備情報処理装置７と接続して相互に通信可能に構成されている。
中央情報処理装置６は、契約した各店舗の現金管理装置１から管理端末３、通信回線５を経由して送信される入金情報や出金情報等を格納する企業情報データベース６ａを備えてこれらを管理する一方、店舗の売上金を入金するための口座（売上金口座という。）を管理する金融機関である銀行８と接続すると共に、店舗の現金管理装置１への釣銭の供給や売上金の回収を行う専用車である集配車９を保有する地域管理センタの地域端末１０と接続している。
【００１４】
また、警備情報処理装置７も地域管理センタの地域端末１０と接続しており、管理端末３から警報が発信された時に地域端末１０に通知して警備車や警備員等を派遣する
図１、図３において、１１は現金管理装置１の主制御部であり、現金管理装置１内の各部を制御して各種の処理等を実行する。
【００１５】
１２は記憶部であり、主制御部１１が実行するプログラムや主制御部１１による処理結果等が格納される。
１３は表示部であり、ＬＣＤ等の表示画面を備えており、各種の処理操作の案内および入金処理や出金処理の金種別の金額やその合計金額等が表示される。
１４はカードリーダであり、レジスタ２の現金を入出金する店員や売上げの締めを行う店長および現金管理装置１の現金の集配を行う地域管理センタの集配担当者等がそれぞれ携帯するＩＤカードを受入れ、そのＩＤカード情報を読取る機能を有している。
【００１６】
１５は入力部であり、店員や店長、集配担当者が入金処理や出金処理、締め処理、補充処理、回収処理等を行うことを指示するための操作キー１５ａおよび売上金の金額等を入力するためのテンキー１５ｂ等により構成されている。
１６はジャーナルプリンタ等の伝票印刷部であり、現金管理装置１による入金処理や出金処理の金額（金種別の金額を含む。）等を伝票に印刷して出力する。
【００１７】
２０は現金取扱部としての紙幣取扱部であり、以下に示す構成を備えている。
２１は紙幣入出金口であり、紙幣入出金口２１を開閉するための紙幣シャッタ２１ａが設けられており、店員等が投入した紙幣を受入れる紙幣入金口および店員等へ釣銭準備金等を排出する紙幣出金口として機能する。
２２は現金鑑別部としての紙幣鑑別部であり、紙幣搬送路により搬入された紙幣の真偽、正損、金種等を鑑別して金種毎に計数する。
【００１８】
２３は紙幣一時保留部であり、紙幣入出金口２１に投入され、紙幣鑑別部２２で鑑別、計数された紙幣を集積して一時待機させる。
２４は釣銭収納庫としての紙幣釣銭収納庫であり、釣銭として使用する金種（釣銭金種という。）の紙幣を金種別に収納する金庫である。    
【００１９】
２５は売上金金庫としての紙幣金庫であり、堅牢な筐体に交換可能な紙幣金庫カセットが装備された金庫であって、店舗の売上金の内の紙幣が収納される。
３０は現金取扱部としての硬貨取扱部であり、以下に示す構成を備えている。
３１は現金入金口としての硬貨入金口であり、硬貨入金口３１を開閉するための硬貨シャッタ３１ａが設けられており、店員等が投入した硬貨を受入れる。
【００２０】
３２は現金鑑別部としての硬貨鑑別部であり、硬貨搬送路またはリフタ等により搬入された硬貨の真偽、正損、金種等を鑑別して金種毎に計数する。
３３は硬貨リジェクト口であり、硬貨鑑別部３２で偽硬貨等と鑑別された不良硬貨が搬送されて集積され、店員等に返却される。
３４は硬貨一時保留部であり、硬貨入出金口３１に投入され、硬貨鑑別部３２で鑑別、計数された硬貨を金種別に集積して一時待機させる。
【００２１】
３５は釣銭収納庫としての硬貨釣銭収納庫であり、釣銭金種の硬貨を金種別に収納する金庫である。
３６は現金出金口としての硬貨出金口であり、開店前に店員等へ供給する釣銭準備金としての硬貨を排出する。
３７は現金金庫としての硬貨金庫であり、堅牢な筐体に交換可能な硬貨金庫カセットが装備された金庫であって、店舗の売上金の内の硬貨が収納される。
【００２２】
３８は回収扉であり、紙幣金庫２５や硬貨金庫３７に装着された紙幣金庫カセットや硬貨金庫カセットを集配担当者が回収する場合に電子錠等が開錠されて開錠可能とされ、集配担当者の所持する鍵等で開錠される。
なお、図１に示した実線は、紙幣搬送路や硬貨搬送路等による各部位の機械的な接続状態を示し、破線は主制御部１１と各部との間の電気信号の送受のための電気的な接続状態を示す。
【００２３】
上述した構成の作用について説明する。
本実施の形態の現金管理システムは、統括管理会社のセンタに設置された中央情報処理装置６より運用され、統括管理会社は複数の店舗と契約して売上金回収やその売上金口座への振込、釣銭の供給について管理する一方、警備情報処理装置７により契約した店舗の管理端末３から送信される警報に応じて店舗に対する警備員の派遣等を行い、防犯、防災についても管理する。
【００２４】
統括管理会社は、契約した店舗から釣銭に充当するための預託金を預かっており、これを釣銭口座に入金して管理すると共に、中央情報処理装置６の企業情報データベース６ａにその店舗の預託金を管理するための釣銭台帳を設けている。
また、中央情報処理装置６の企業情報データベース６ａには契約した店舗の売上金を振込むためのその店舗の売上金口座の銀行名や口座番号等を売上金口座情報として格納する口座情報ファイルが設けられている。
【００２５】
更に、本実施の形態では、店舗の店長や店員および集配担当者には事前に契約している企業や店舗等を識別するための企業コード、その店舗を識別するための店舗コードおよびＩＤカードの所持者である店長や店員、集配担当者を識別するための従業員コードと入金や出金、締め、補充等の処理の有資格者であることを識別するためのＩＤカードコード等のＩＤカード情報を記録したＩＤカードが支給されている。
【００２６】
本実施の形態の現金管理システムを利用する店舗は、釣銭のための預託金を統括管理会社に預ける一方、釣銭として使用する釣銭金種（本実施の形態では５千円、２千円、千円の紙幣および５００円、１００円、５０円、１０円、５円、１円の硬貨）を設定し、その店舗の業態や日付、曜日、時間帯および売場の商品構成等を考慮して開店前に各レジスタ２にセットする釣銭準備金の金種毎の枚数を複数の出金パターンにして設定し、これを現金管理装置１の記憶部１２に登録する。
【００２７】
そして、店舗に現金管理装置１が設置された時に、紙幣釣銭収納庫２４や硬貨釣銭収納庫３５には統括管理会社が預託金の中から供給した紙幣や硬貨（釣銭引当金という。）充填されており、紙幣金庫２５や硬貨金庫３７は空の状態になっている。
【００２８】
このようにして紙幣釣銭収納庫２４および硬貨釣銭収納庫３５に紙幣や硬貨が充填された現金管理装置１による開店前の釣銭準備金の出金処理の作動について、図４示すフローチャートを用い、Ｓで示すステップに従って説明する。
【００２９】
Ｓ１、開店前に釣銭を準備する店員は、入力部１５の操作キー１５ａから出金処理を選択してその操作キー１５ａを押下する。
Ｓ２、これを検知した現金管理装置１の主制御部１１は、表示部１３にＩＤカードの挿入を促す旨の文言を表示し、店員が支給されているＩＤカードを現金処理装置２のカードリーダ１４に挿入すると、主制御部１１はこれを検知してＩＤカードを受付け、カードリーダ１４によりＩＤカードに記録されているＩＤカード情報を読取る。
【００３０】
Ｓ３、ＩＤカード情報を読取った主制御部１１は、ＩＤカードの正当性を判定し、ＩＤカードが正当である場合は読取ったＩＤカードコードによりその店員が釣銭準備金の出金を許可されている有資格者であることを判定してステップＳ４へ移行する。
ＩＤカードが正当でない、または釣銭準備金出金の有資格者でないと判定した場合は、その旨を表示部１３に表示して出金処理を終了させる。
【００３１】
Ｓ４、ＩＤカードが正当である等を判定した主制御部１１は、表示部１３に記憶部１２に登録されている釣銭準備金の複数の出金パターンや釣銭金種の金種毎の枚数入力欄等を表示した出金内訳入力画面を表示する。
店員は、釣銭準備金の出金パターンの一つを選択するか、またはテンキー１５ｂにより金種毎の出金枚数を入力するかのどちらかを行い出金内訳を入力する。
【００３２】
Ｓ５、出金パターンまたは金種毎の枚数入力により出金すべき金種とその枚数を認識した主制御部１１は、その金種に該当する紙幣を紙幣釣銭収納庫２４から指定枚数を計数して繰出し、紙幣入出金口２１へ搬送して集積すると共に、その金種に該当する硬貨を硬貨釣銭収納庫２４から指定枚数を計数して繰出し、硬貨出金口３６へ搬送して集積する。
【００３３】
Ｓ６、紙幣や硬貨（これらをまとめていう場合は現金という。）の集積を終えた主制御部１１は、紙幣入出金口２１の紙幣シャッタ２１ａを開放すると共に表示部１３に現金の集積を終えた旨を表示し、店員は紙幣入出金口２１および硬貨出金口３６に集積された現金を取出す。
Ｓ７、現金の取出しを確認した主制御部１１は、紙幣シャッタ２１ａを閉鎖すると共に出金情報を作成し、これを管理端末３、通信回線５を経由してセンタの中央情報処理装置６へ送信する（中央情報処理装置６の作動は後述する。）。
【００３４】
出金情報は、出金処理が行われた日時、出金処理を実行したことを示す処理コードである出金コード、出金された金種毎の枚数とその合計金額、出金動作のタイムチャートを示す出金ログデータ、現金管理装置１が設置されている建物を示す建物コード、現金管理装置１の現金管理装置号機コードおよびＩＤカードから読取った従業員コードやＩＤカードコードであるＩＤカード出金コード等のＩＤカード情報等により構成される。
【００３５】
Ｓ８、出金情報の送信を終えた主制御部１１は、ＩＤカード情報や出金した金種毎の枚数とその合計金額等の実行した出金処理の内容を記載した伝票を伝票印刷部１６により印刷して発行し、店員はこの伝票を受取る。
その後、店員は取出した現金を担当するレジスタ２へ運び、そのレジスタ２にセットして顧客の来店を待って待機する。
【００３６】
Ｓ９、伝票を発行した主制御部１１は、紙幣釣銭収納庫２４および硬貨釣銭収納庫３５の残量を金種別に確認し、少なくとも一つの金種の残量がニアエンド基準値以下の場合は釣銭収納庫への補充が必要と判定してステップＳ１０へ移行する。全ての金種がニアエンド基準値を超えている場合は出金処理を終了させる。
Ｓ１０、釣銭収納庫への補充が必要と判定した主制御部１１はニアエンド情報を作成し、管理端末３、通信回線５を経由してセンタの中央情報処理装置６へ送信して出金処理を終了させる。
【００３７】
ニアエンド情報は、補充の必要性を判定した日時、釣銭のニアエンドを示す処理コードであるニアエンドコード、現金の金種毎の残枚数、建物コードおよび現金管理装置号機コード等により構成される。
上記の釣銭準備金の出金処理後に営業を開始した店舗において、不測の事態等により営業の途中でレジスタ２の釣銭が不足したときは、その店員は現金管理装置１により現金を出金（途中出金という。）し、不足した釣銭を補給する。
【００３８】
この場合に店員は、上記のステップＳ４において補給する金種の枚数を入力するようにして出金処理を行う。その他の作動は上記出金処理の作動と同様であるのでその説明を省略する。
営業の途中でレジスタ２に収納された売上金が多くなり、レジスタ２の現金が多量になった場合、店員は現金取扱の効率化や防犯のためにレジスタ２の過剰な現金を現金管理装置１へ入金（途中入金という。）する。
【００３９】
また、店舗の閉店後に店員は締め作業を行う。この時レジスタ２からはその日の売上高が出力され、店員はレジスタ２に収納されている現金（売上金と釣銭準備金が混在している。）を取出し、これを現金管理装置１へ持参して入金（締め入金という。）する。
以下に、図５に示すフローチャートを用い、ＳＡで示すステップに従って本実施の形態の現金管理装置１による途中入金および締め入金の入金処理の作動について説明する。
【００４０】
ＳＡ１、入金を行う店員は、入力部１５の操作キー１５ａから入金処理を選択してその操作キー１５ａを押下する。
ＳＡ２、これを検知した現金管理装置１の主制御部１１は、上記出金処理のステップＳ２と同様にしてＩＤカードの挿入を促し、店員がＩＤカードをカードリーダ１４に挿入すると、これを受付けてＩＤカード情報を読取る。
【００４１】
ＳＡ３、ＩＤカード情報を読取った主制御部１１は、上記出金処理のステップＳ３と同様にしてＩＤカードの正当性を判定し、ＩＤカードが正当である場合はＩＤカードコードにより入金を許可されている有資格者であることを判定してステップＳＡ４へ移行する。ＩＤカードが正当でない、または入金の有資格者でないと判定した場合は、その旨を表示部１３に表示して入金処理を終了させる。
【００４２】
ＳＡ４、ＩＤカードが正当である等を判定した主制御部１１は、表示部１３に現金の投入を促す旨の文言を表示すると共に、紙幣入出金口２１の紙幣シャッタ２１ａおよび硬貨入金口３１の硬貨シャッタ３１ａを開放して店員からの現金の投入を受付ける。
店員は、持参した途中入金または締め入金のための現金を紙幣と硬貨に区別して紙幣入出金口２１と硬貨入金口３１へ投入する。
【００４３】
ＳＡ５、現金の投入を検知した主制御部１１は、紙幣シャッタ２１ａおよび硬貨シャッタ３１ａを閉鎖して投入された現金の計数を行う。
すなわち、主制御部１１は、紙幣入出金口２１へ投入された紙幣を紙幣鑑別部２２へ搬送し、その紙幣の真偽、金種等を鑑別して金種毎に計数し、鑑別された紙幣を紙幣一時保留部２３へ搬送して一時保管する。この時偽券等の不良紙幣と鑑別された紙幣は紙幣入出金口２１へ搬送されて店員に返却される。
【００４４】
また、硬貨入出金口３１へ投入された硬貨を硬貨鑑別部３２へ搬送し、その硬貨の真偽、金種等を鑑別して金種毎に計数し、鑑別された硬貨を硬貨一時保留部３４へ搬送して金種別に一時保管する。この時偽硬貨等の不良硬貨と鑑別された硬貨は硬貨リジェクト口３３へ搬送されて店員に返却される。
なお、途中入金のように主に１万円札等の紙幣のみが投入された場合は、主制御部１１は所定の時間経過後に硬貨シャッタ３１ａを閉鎖し、硬貨の計数を省略する。
【００４５】
ＳＡ６、現金の計数を終えた主制御部１１は、表示部１３に金種毎の計数結果とその確認を促す旨の文言を表示した計数結果確認画面を表示する。
店員は、表示された計数結果が正しいと判断した場合は入力部１５の操作キー１５ａによって「ＹＥＳ」を押下する。これを検知した主制御部１１は計数結果が確定されたと認識してステップＳＡ８へ移行する。
【００４６】
店員が表示された計数結果と持参した現金とが一致しないと判断した場合は入力部１５の操作キー１５ａによって「ＮＯ」を押下する。これを検知した主制御部１１はこれを返却要求と認識してステップＳＡ７へ移行する。
ＳＡ７、返却要求を認識した主制御部１１は、紙幣一時保留部２３に一時保管した紙幣を紙幣入出金口２１へ、硬貨一時保留部３４に一時保管した硬貨を硬貨出金口３６へ搬送して投入された現金を店員に返却し、店員の受取りを確認して入金処理を終了する。その後店員は返却された現金を確認して再度入金処理を実行する。
【００４７】
ＳＡ８、計数結果が確定されたことを認識した主制御部１１は、表示部１３に売上高の入力を促す旨の文言およびその入力欄を表示した売上高入力画面を表示して店員に売上高の入力を促し、店員はレジスタ２から出力された売上高を参照して入力部１５のテンキー１５ｂにより売上高を入力する。これにより主制御部１１は売上高を認識し、これを記憶部１２に記憶してステップＳＡ９へ移行する。
【００４８】
なお、途中入金の入金処理においては入力すべき売上高がないので店員は操作キー１５ｂによって「ＮＯ」を押下する。これにより主制御部１１は売上高を「０」と認識し、入力を省略してステップＳＡ９へ移行する。
ＳＡ９、主制御部１１は入力された売上高（途中入金の場合は「０」）により売上高情報を作成すると共に入金情報を作成し、これらを管理端末３、通信回線５を経由してセンタの中央情報処理装置６へ送信する。
【００４９】
入金情報は、入金処理が行われた日時、入金処理を実行したことを示す処理コードである入金コード、入金された金種毎の枚数とその合計金額、入金動作のタイムチャートを示す入金ログデータ、建物コード、現金管理装置号機コードおよびＩＤカード情報等により構成される。
ＳＡ１０、入金情報等の送信を終えた主制御部１１は、ＩＤカード情報や入金された金種毎の枚数とその合計金額等の実行した入金処理の内容を記載した伝票を伝票印刷部１６により印刷して発行し、店員はこの伝票を受取って入金操作を終了する。
【００５０】
ＳＡ１１、伝票を発行した主制御部１１は、一時保留部に一時保留されている現金の中で、すなわち、主制御部１１は、紙幣一時保留部２３に一時保留されている紙幣を紙幣鑑別部２２へ再度搬送し、その紙幣の金種等を鑑別して金種毎に計数し、売上金額の内で千円以上の金額を売上金金庫に収納する。（この時、一万円札は優先して売上金金庫に収納する。）
【００５１】
ＳＡ１２、その他の余剰金については釣銭収納庫に収納する。
また、硬貨一時保留部３４に金種別に一時保留されている硬貨を硬貨一時保留部３４からそれぞれの金種の硬貨釣銭収納庫３５へ放出して金種別に収納する。
その後、売上金額のうち千円以下の端数を硬貨釣銭収納庫から出金し、硬貨金庫へ収納する。
【００５２】
ＳＡ１３、余剰金の現金金庫への収納を終えた主制御部１１は、紙幣金庫２５および硬貨金庫３７の収納量を確認し、少なくとも一つの金種の収納量がニアフル基準値を超えている場合は現金の回収が必要と判定してステップＳＡ１４へ移行する。ニアフル基準値以下の場合は入金処理を終了させる。
ＳＡ１４、現金金庫の現金の回収が必要と判定した主制御部１１はニアフル情報を作成し、管理端末３、通信回線５を経由してセンタの中央情報処理装置６へ送信して入金処理を終了させる。
【００５３】
ニアフル情報は、回収の必要性を判定した日時、現金のニアフルを示す処理コードであるニアフルコード、現金の金種毎の収納枚数、建物コードおよび現金管理装置号機コード等により構成される。
【００５４】
このように、原則として釣銭収納庫にはレジスタ２から回収された釣銭金種のうち、循環使用できる紙幣や硬貨が収納され、現金金庫には売上金に相当する紙幣や硬貨が収納される。
【００５５】
ところで、締め入金においてレジスタ２から回収される現金の総額は当初の釣銭準備金とそのレジスタ２の売上金（途中入金、途中出金が行われた場合はその額を増減した額）で構成されるが、釣銭準備金として出金された金種は商品代金を精算する時にさまざまに変化し、閉店後にはその金種別内訳が変ってしまうのが常である。
【００５６】
従って、締め入金の終了後に現金管理装置１の釣銭収納庫に収納されている現金は、特定の金種、例えば１００円硬貨や１０円硬貨、１円硬貨といった釣銭としてよく使用されるが商品代金として支払われることが少ない金種の場合は、余剰金がでないために釣銭収納庫のその金種は不足した状態で収納されている。
【００５７】
以下に、図６のフローチャートを用い、ＳＢで示すステップに従って本実施の形態の現金管理装置１による締め処理の作動について説明する。
【００５８】
ＳＢ１、全てのレジスタ２の締め入金の入金処理の終了後に店舗の責任者、例えば店長は、入力部１５の操作キー１５ａから締め処理を選択してその操作キー１５ａを押下する。
ＳＢ２、これを検知した現金管理装置１の主制御部１１は、上記出金処理のステップＳ２と同様にしてＩＤカードの挿入を促し、店長がＩＤカードをカードリーダ１４に挿入すると、主制御部１１はこれを受付けてＩＤカード情報を読取る。
【００５９】
ＳＢ３、ＩＤカード情報を読取った主制御部１１は、上記出金処理のステップＳ３と同様にしてＩＤカードの正当性を判定し、ＩＤカードが正当である場合はＩＤカードコードにより締め処理を許可されている有資格者であることを判定してステップＳＢ４へ移行する。ＩＤカードが正当でない、または締め処理の有資格者でないと判定した場合は、その旨を表示部１３に表示して締め処理を終了させる。
【００６０】
ＳＢ４、ＩＤカードが正当である等を判定した主制御部１１は、締め情報を作成し、これを管理端末３、通信回線５を経由してセンタの中央情報処理装置６へ送信する。
締め情報は、締め処理が行われた日時、締め処理を実行したことを示す処理コードである締めコード、締め動作のタイムチャートを示す締めログデータ、建物コード、現金管理装置号機コードおよびＩＤカード情報等により構成される。
【００６１】
締め情報を受信した中央情報処理装置６は、前回の締め処理から今回の締め処理までの間の店舗における現金の移動を集計し、これを現金移動情報として送信元の現金管理装置１へ送信する。
ＳＢ５、現金移動情報を受信した現金管理装置１の主制御部１１は、現金移動情報を基に前回の締め処理から今回の締め処理までの間の店舗の売上高と入金された金種毎の枚数や従業員コード別（各レジスタ２に相当する。）の売上高とその金種毎の枚数等を表示部１３に表示し、店長は表示された内容を確認して入力部１５の操作キー１５ａによって「ＹＥＳ」を押下する。
【００６２】
ＳＢ６、これを検知した主制御部１１は、売上高等が確認されたことを認識し、中央情報処理装置６に対して確認通知を送信する。
ＳＢ７、確認通知を送信した主制御部１１は、受信した現金移動情報や締め処理を行った店長のＩＤカード情報等を記載した伝票を伝票印刷部１６により印刷して発行し、店長が伝票を受取ったことを確認して締め処理を終了させる。
【００６３】
次に実際の現金が収納されている現金管理装置１から売上金を回収する必要があり、現金管理装置１の現金の回収を定期的に行っている。
【００６４】
現金管理装置１の現金の回収や補充を定期的に行う場合は、地域管理センタから集配担当者が集配車９によって現金の回収後に装着する空の紙幣金庫カセットや硬貨金庫カセット又は、補充のための現金とを持参して該当する店舗を巡回し、以下のように行う。
現金管理装置１の現金を回収する場合は、集配担当者は入力部１５の操作キー１５ａから回収処理を選択してその操作キー１５ａを押下し、これを検知した主制御部１１は上記出金処理のステップＳ２と同様にしてＩＤカードの挿入を促し、集配担当者が持参したＩＤカードをカードリーダ１４に挿入すると、これを受付けてＩＤカード情報を読取り、上記出金処理のステップＳ３と同様にしてＩＤカードが正当であり、ＩＤカードコードにより回収を許可されている有資格者であること確認する。
【００６５】
ＩＤカードの正当性等を確認した主制御部１１は、電子錠等を開錠して回収扉３８を開錠可能とする。この時、紙幣金庫２５と硬貨金庫３７の合計が、売上金額になっているため、集配担当者は、前記金庫の中のカセットを持ち帰れば売上金額の回収が可能になる。
集配担当者は所持する鍵等で回収扉を開錠し、紙幣金庫２５と硬貨金庫３７に装着されている紙幣金庫カセットや硬貨金庫カセットを取出し、持参した空の紙幣金庫カセットや硬貨金庫カセットを装着して回収扉３８を施錠する。
【００６６】
これを検知した主制御部１１は、回収扉３８の電子錠等を施錠し、上記出金処理のステップＳ８と同様にして回収処理内容を伝票に印刷して発行し、集配担当者の受取を確認して回収処理を終了させる。
【００６７】
以上説明したように、本実施の形態では、営業活動によりレジスタに収納された全ての現金が現金入金口へ投入されたときに、現金金庫に売上金額の現金を収納し、それを超えた現金は釣銭収納庫へ収納するようにしたことによって、釣銭を循環使用することができ、資金を有効利用することができると共に、手作業で行っていた店員や店長の業務をなくしてその負担を軽減することができ、店舗における現金管理の効率化を図ることができる。
【図面の簡単な説明】
【００６８】
【図１】実施の形態の現金管理装置を示すブロック図
【図２】実施の形態のシステム構成を示す説明図
【図３】実施の形態の現金管理装置の外観を示す斜視図
【図４】実施の形態の出金処理を示すフローチャート
【図５】実施の形態の入金処理を示すフローチャート
【図６】実施の形態の締め処理を示すフローチャート
【符号の説明】
【００６９】
１    現金管理装置
２    レジスタ
３    管理端末
４    監視センサ
５    通信回線
６    中央情報処理装置
６ａ  企業情報データベース
７    警備情報処理装置
８    銀行
９    集配車
１０  地域端末
１１  主制御部
１２  記憶部
１３  表示部
１４  カードリーダ
１５  入力部
１５ａ  操作キー
１５ｂ  テンキー
１６  伝票印刷部
２０  紙幣取扱部
２１  紙幣入出金口
２１ａ  紙幣シャッタ
２２  紙幣鑑別部
２３  紙幣一時保留部
２４  紙幣釣銭収納庫
２５  紙幣金庫
３０  硬貨取扱部
３１  硬貨入金口
３１ａ  硬貨シャッタ
３２  硬貨鑑別部
３３  硬貨リジェクト口
３４  硬貨一時保留部
３５  硬貨釣銭収納庫
３６  硬貨出金口
３７  硬貨金庫
３８  回収扉
【図１】
2006155326.tif 000003
【図２】
2006155326.tif 000004
【図３】
2006155326.tif 000005
【図４】
2006155326.tif 000006
【図５】
2006155326.tif 000007
【図６】
2006155326.tif 000008